(57)【要約】      （修正有）【課題】濡れた路面に対する高いグリップ力を有する杖用石突き、および杖を提供する。【解決手段】杖用石突き１３は弾性部材から成り、杖の軸部の先端に装着される基端部と、基端部とは反対側に設けられた底面部３２とを有している。底面部は、周方向に間隔を空けて径方向に延びた放射状の複数の放射主溝３２ａと、隣接する一対の放射主溝の間に設けられた扇型状の陸部３２ｂとを備えている。陸部には、陸部内を周方向に延び、一方の端部３２ｃ１が放射主溝に連通し、かつ、他方の端部３２ｃ２が陸部内で途切れた第１補助溝３２ｃを備えている。【選択図】図３
0003229939.tif 000002
【実用新案登録請求の範囲】
【請求項１】
弾性部材から成る杖用石突きであって、
杖の軸部の先端に装着される基端部と、
前記基端部とは反対側に設けられた底面部と
を有し、
底面部は、
周方向に間隔を空けて径方向に延びた放射状の複数の放射主溝と、
隣接する一対の前記放射主溝の間に設けられた扇型状の陸部と
を備え、
前記陸部には、
当該陸部内を周方向に延び、一方の端部が前記放射主溝に連通し、かつ、他方の端部が当該陸部内で途切れた補助溝を備えた、杖用石突き。
【請求項２】
前記補助溝は、前記放射主溝よりも溝幅が狭い、請求項１に記載された杖用石突き。
【請求項３】
前記補助溝は、前記放射主溝よりも浅い溝である、請求項１または２に記載された杖用石突き。
【請求項４】
前記補助溝は、周方向にジグザグ状に延びている、請求項１から３までの何れか一項に記載された杖用石突き。
【請求項５】
前記補助溝は、前記陸部の径方向に間隔を空けて複数設けられている、請求項１から４までの何れか一項に記載された杖用石突き。
【請求項６】
前記補助溝の溝幅は、０．１ｍｍ以上１．０ｍｍ以下である、請求項１から５までの何れか一項に記載された杖用石突き。
【請求項７】
前記陸部のうち少なくとも１つの陸部には、
当該陸部内を周方向に延び、一方の端部が当該陸部を区画する第１の放射主溝に連通し、かつ、他方の端部が当該陸部内で途切れた第１補助溝と、
当該陸部内を周方向に延び、一方の端部が前記第１の放射主溝とは異なる第２の放射主溝に連通し、かつ、他方の端部が当該陸部内で途切れた第２補助溝と
を備えた、請求項１から６までの何れか一項に記載された杖用石突き。
【請求項８】
前記第１補助溝と前記第２補助溝は、交わらず周方向において径方向に一定の間隔で対向した部分を備えている、請求項７に記載された杖用石突き。
【請求項９】
前記底面部の中央領域に、前記陸部より突出する凸部が設けられ、前記放射主溝は、前記凸部の外縁を内端として放射状に延びていることを特徴とする請求項１から８までの何れか一項に記載された杖用石突き。
【請求項１０】
前記扇型状の陸部の外径側に配置された周方向に連続した周溝と、当該周溝の外径側に底面部の周縁部に沿って周方向に間欠的に配置された突起が設けられている、請求項１から９までの何れか一項に記載された杖用石突き。
【請求項１１】
前記杖用石突きの底面部は、中央領域が周縁部よりも盛り上がっている、請求項１から１０までの何れか一項に記載された杖用石突き。
【請求項１２】
前記底面部は、複数の放射主溝の隣接する一対の前記放射主溝の間に、それぞれ扇型状の陸部が設けられており、複数の陸部がそれぞれ前記補助溝を備えた、請求項１から１１までの何れか一項に記載された杖用石突き。
【請求項１３】
請求項１から１２までの何れか一項に記載された杖用石突きを備えた杖。
【考案の詳細な説明】
【技術分野】
【０００１】
本考案は、杖用石突きおよび杖に関する。
【背景技術】
【０００２】
実用新案登録第３２１００９０号公報には、ゴムから成る杖用石突きに関する考案が開示されている。同公報では、杖用石突きは、歩行補助具のキャップと称されている。同公報では、トレッキングやハイキング等に使用する歩行補助具のキャップは公知とされている。同公報に開示された歩行補助具のキャップは、取付部から接面部まで延びる嵌挿孔を有している。シャフトの先端部が取り付けられる取付部と、取付部の下方に位置する接面部とを有している。取付部から下方へ拡がるように傾斜状に延びる接面部の上面には、その周方向において間隔を空けて並ぶ複数の凹部が位置している。接面部の底面には、接面部の中心側から外周縁部側へ延びる複数の条溝が位置している。凹部と条溝とは、上下方向において互いに重なる凹部と条溝とが上下方向において互いに重なる。同公報によれば、嵌挿孔が接面部まで延びていることから歩行時に取付部が安定する、とされている。また、接面部の上面に位置する凹部と底面に位置する条溝とが上下方向において互いに重なって位置することから、接面部を重心移動に合わせて変形させることができる、とされている。
【先行技術文献】
【特許文献】
【０００３】
【特許文献１】実用新案登録第３２１００９０号公報
【考案の概要】
【考案が解決しようとする課題】
【０００４】
ところで、ゴムから成る杖用石突きであって、接地面に溝が設けられた杖用石突きは提案されている。かかる杖用石突きでは、接地面のゴムと地面との間に水が介在すると、スリップする原因となり得る。
【課題を解決するための手段】
【０００５】
ここで開示される杖用石突きは、弾性部材から成る杖用石突きであって、杖の軸部の先端に装着される基端部と、基端部とは反対側に設けられた底面部とを有している。底面部は、周方向に間隔を空けて径方向に延びた放射状の複数の放射主溝と、隣接する一対の放射主溝の間に設けられた扇型状の陸部とを備えている。陸部には、当該陸部内を周方向に延び、一方の端部が放射主溝に連通し、かつ、他方の端部が当該陸部内で途切れた補助溝を備えている。かかる杖用石突きによれば、地面が濡れているような場合でも、グリップ力を高く維持できる。
【図面の簡単な説明】
【０００６】
【図１】図１は、杖用石突きを備えた杖１０を示す斜視図である。
【図２】図２は、杖用石突き１３の断面図である。
【図３】図３は、杖用石突き１３の底面図である。
【図４】図４は、杖用石突き１３の底面部３２の変形例を示す底面図である。
【図５】図５は、杖用石突き１３の底面部３２の変形例を示す底面図である。
【図６】図６は、杖用石突き１３の底面部３２の変形例を示す底面図である。
【図７】図７は、杖用石突き１３の変形例を示す側面図である。
【考案を実施するための形態】
【０００７】
以下、ここで開示される杖用石突きおよび杖を図面に基づいて説明する。なお、本考案は、以下の実施形態に限定されない。各図面は模式的に描かれており、必ずしも実物を反映していない。また、各図面は、一例を示すのみであり、特に言及されない限りにおいて本考案を限定しない。また、同一の作用を奏する部材・部位には、適宜に同一の符号を付し、重複する説明を省略する。
【０００８】
《杖１０》
図１は、杖用石突きを備えた杖１０を示す斜視図である。杖１０は、図１に示されているように、把手１１と、軸部１２と、杖用石突き１３とを備えている。把手１１の形状などは、適宜に変更されうる。軸部１２は、アルミ製や、チタン製、カーボン製、木製などの種々の軸材が用いられうる。把手１１は、軸部１２の一端に取り付けられる。杖用石突きは、軸部１２の他端に取り付けられる。杖用石突き１３は、天然ゴム、合成ゴムなどの弾性部材からなる。杖用石突き１３は、ゴム素材を所定の金型にセットし、加硫成型されうる。杖用石突き１３には、ガラス繊維などの異種素材が適宜に含まれていてもよい。ガラス繊維などの異種素材は、成型される際にゴム素材に練り込まれているとよい。また、ゴム素材には、適宜に所要の添加剤が含まれていてもよい。添加剤は、杖用石突き１３のグリップ力や、耐摩耗性や、耐候性や、撥水性などを向上させる目的で適宜に適量が添加されうる。
【０００９】
《杖用石突き１３》
図２は、杖用石突き１３の断面図である。杖用石突き１３は、図２に示されているように、杖１０の軸部１２の先端１２ａに装着される基端部３１と、基端部３１とは反対側に設けられた底面部３２とを有している。この実施形態では、杖用石突き１３の外形形状は、杖１０の軸部１２の先端１２ａに装着される基端部３１から底面部３２に向けて軸方向に沿って徐々に太くなっている。杖用石突き１３の内部には、基端部３１に開口し、杖１０の軸部１２の先端部が挿し込まれる装着孔３３を有している。杖１０の軸部１２の先端は、杖用石突き１３の装着孔３３に挿し込まれて硬化性樹脂からなる接着剤などで接着されてもよい。装着孔３３の奥には、杖１０の軸部１２の先端が接続される接続部材が配置されていてもよい。接続部材は、杖１０の軸部１２の先端に対して、杖用石突き１３が回転するのを防止する構造を備えていてもよい。杖１０の軸部１２の先端に杖用石突き１３を取り付ける構造は、種々の構造が採用されうる。
【００１０】
〈底面部３２〉
図３は、杖用石突き１３の底面図である。杖用石突き１３の底面部３２は、図３に示されているように、底面部３２は、放射主溝３２ａと、陸部３２ｂと、第１補助溝３２ｃと、第２補助溝３２ｄと、凸部３２ｅと、周溝３２ｆと、突起３２ｇとを備えている。
【００１１】
〈放射主溝３２ａ，陸部３２ｂ，第１補助溝３２ｃ〉
放射主溝３２ａは、周方向に間隔を空けて径方向に延びている。放射主溝３２ａは、底面部３２に放射状に複数設けられている。陸部３２ｂは、隣接する一対の放射主溝３２ａの間に設けられている。この実施形態では、８本の放射主溝３２ａが底面部３２に設けられている。隣接する一対の放射主溝３２ａの間に８個の扇型状の陸部３２ｂが底面部３２に設けられている。陸部３２ｂは、第１補助溝３２ｃを有している。第１補助溝３２ｃは、陸部３２ｂ内を周方向に延び、一方の端部３２ｃ１が放射主溝３２ａに連通し、かつ、他方の端部３２ｃ２が当該陸部３２ｂ内で途切れている。
【００１２】
この杖用石突き１３では、図３に示されているように、放射状に延びた複数の放射主溝３２ａと、隣接する一対の放射主溝３２ａの間に設けられた複数の陸部３２ｂとを備えている。さらに陸部３２ｂには、第１補助溝３２ｃが設けられている。地面が濡れている場合、陸部３２ｂが地面に着地する際に水は第１補助溝３２ｃに入る。第１補助溝３２ｃは、一方の端部３２ｃ１が第１の放射主溝３２ａに連通し、かつ、他方の端部３２ｃ２が当該陸部３２ｂ内で途切れている。第１補助溝３２ｃの壁は、杖用石突き１３の底面部３２が地面に接地する際に荷重を受けて撓む。第１補助溝３２ｃに入った水は、この壁の撓みによって第１補助溝３２ｃ内を動く。第１補助溝３２ｃの一方の端部３２ｃ１が放射主溝３２ａに連通し、かつ、他方の端部３２ｃ２が当該陸部３２ｂ内で途切れている。放射主溝３２ａは、径方向に延びて、底面部３２の外縁に通じている。このため、第１補助溝３２ｃを動く水は、放射主溝３２ａに排出される。さらに、放射主溝３２ａに排出された水は、放射主溝３２ａを通じて底面部３２の外縁から排出される。このため、杖用石突き１３の底面部３２の陸部３２ｂと地面の間に水が介在しにくい。このため、地面が濡れている場合でも、杖用石突き１３のグリップ力が高いレベルで維持される。
【００１３】
第１補助溝３２ｃの溝幅ｃ１は、放射主溝３２ａの溝幅ａ１よりも狭くてもよい。この場合、第１補助溝３２ｃから幅の広い放射主溝３２ａに水がスムーズに排出されやすい。また、第１補助溝３２ｃは、放射主溝３２ａよりも浅い溝であってもよい。この場合も、第１補助溝３２ｃから深い放射主溝３２ａに水がスムーズに排出されやすい。この実施形態では、第１補助溝３２ｃは、周方向にジグザグ状に延びている。この場合、杖用石突き１３の底面部３２は、地面に接地する際に撓む。陸部３２ｂを周方向にジグザグ状に延びた第１補助溝３２ｃの壁の間隔は、底面部３２が撓む際に狭くなったり広くなったりする。このため、第１補助溝３２ｃがポンプのように作用する。第１補助溝３２ｃの一方の端部３２ｃ１が放射主溝３２ａに連通し、かつ、他方の端部３２ｃ２が当該陸部３２ｂ内で途切れている。このため、第１補助溝３２ｃ内の水は、第１補助溝３２ｃの壁によって放射主溝３２ａの方に押し出される。このため、第１補助溝３２ｃ内の水は、放射主溝３２ａにスムーズに排出されやすい。このため、地面が濡れている場合でも、杖用石突き１３のグリップ力が高いレベルで維持される。この点、第２補助溝３２ｄにおいても同様の構成が採用されれば同様の効果が奏されうる。
【００１４】
また、第１補助溝３２ｃが陸部３２ｂを周方向にジグザグ状に延びていることによって、陸部３２ｂに形成される第１補助溝３２ｃの長さが長くなる。また、径方向において陸部３２ｂの幅があるところと、幅が狭いところとが生じる。第１補助溝３２ｃで区画される陸部３２ｂの境界が、多面で形成される。この場合、陸部３２ｂが接地する際に、陸部３２ｂが一方面に向けて倒れようとする場合には他の面が引っ張られる。このため、接地したときに陸部３２ｂが倒れ難く、底面部３２と、地面との接触面積が著しく低下することが防がれる。また、陸部３２ｂが倒れ難いので、第１補助溝３２ｃや放射主溝３２ａを深く設計できる。このため、底面部３２がすり減っても、第１補助溝３２ｃや放射主溝３２ａが消失しにくい。また、第１補助溝３２ｃが陸部３２ｂを周方向にジグザグ状に延びていることによって、第１補助溝３２ｃのエッジが地面と接地しやすくなり、グリップ力が向上しやすい。この点、第２補助溝３２ｄにおいても同様の構成が採用されれば同様の効果が奏されうる。
【００１５】
〈第２補助溝３２ｄ〉
図３に示された杖用石突き１３は、さらに第２補助溝３２ｄを備えている。第２補助溝３２ｄは、第１補助溝３２ｃが設けられた陸部３２ｂに設けられている。第２補助溝３２ｄは、当該陸部３２ｂ内を周方向に延びている。第２補助溝３２ｄの一方の端部３２ｄ１は、第１補助溝３２ｃが連通した第１の放射主溝３２ａとは異なる第２の放射主溝３２ａに連通している。第２補助溝３２ｄの他方の端部３２ｄ２は、当該陸部３２ｂ内で途切れている。
【００１６】
かかる第２補助溝３２ｄが設けられていることによって、陸部３２ｂから第２補助溝３２ｄに入り込んだ水は、第１補助溝３２ｃが連通した側とは反対の放射主溝３２ａに排出される。陸部３２ｂには、第１補助溝３２ｃに加えて第２補助溝３２ｄが設けられている。このため、杖用石突き１３の底面部３２が地面に接地する際に荷重を受けて底面部３２が撓む際に、第１補助溝３２ｃの壁と第２補助溝３２ｄの壁がそれぞれ撓む。第１補助溝３２ｃに入った水と、第２補助溝３２ｄに入った水は、それぞれ異なる放射主溝３２ａに排出される。このため、よりスムーズに水が排出されるので、陸部３２ｂと地面との間に水がより介在しにくい。このため、地面が濡れている場合でも、杖用石突き１３のグリップ力が高いレベルで維持される。このように陸部３２ｂには、第１補助溝３２ｃと第２補助溝３２ｄを備えていてもよい。
【００１７】
第２補助溝３２ｄは、放射主溝３２ａよりも溝幅ｄ１が狭くてもよい。第２補助溝３２ｄは、放射主溝３２ａよりも浅い溝であってもよい。第２補助溝３２ｄは、周方向にジグザグ状に延びていてもよい。第２補助溝３２ｄは、陸部３２ｂの径方向に間隔を空けて複数設けられていてもよい。図３に示された形態では、陸部３２ｂに第１補助溝３２ｃと第２補助溝３２ｄは、１本ずつ設けられているが、第１補助溝３２ｃと第２補助溝３２ｄは、例えば、１つの陸部３２ｂに複数本（例えば、２本）ずつ設けられていてもよい。第１補助溝３２ｃと第２補助溝３２ｄの数や配置は、適当に変更されうる。例えば、第１補助溝３２ｃと第２補助溝３２ｄの溝幅を、図３に示された形態よりも狭くし、１つの陸部３２ｂに第１補助溝３２ｃと第２補助溝３２ｄが複数本ずつ配置されていてもよい。また、第１補助溝３２ｃと第２補助溝３２ｄの深さは、適宜に変更されうる。
【００１８】
また、図３に示されているように、第１補助溝３２ｃと第２補助溝３２ｄは、交わらず周方向において径方向に一定の間隔で対向した部分Ａを備えていてもよい。この場合、杖用石突き１３が接地する際に、底面部３２が変形する。この際、第１補助溝３２ｃと第２補助溝３２ｄとが対向した部分Ａが径方向に傾倒する。これにより、第１補助溝３２ｃの間隔と第２補助溝３２ｄの間隔が変動する。第１補助溝３２ｃと第２補助溝３２ｄに入り込んだ水は、第１補助溝３２ｃの間隔と第２補助溝３２ｄの間隔が変動することによって、第１補助溝３２ｃと第２補助溝３２ｄを動く。そして、第１補助溝３２ｃと第２補助溝３２ｄが、それぞれ連通した放射主溝３２ａに水が排出される。そして、水は、放射主溝３２ａを通じて、外部に排出される。
【００１９】
第１補助溝３２ｃと第２補助溝３２ｄの溝幅は、例えば、陸部３２ｂと地面とに介在する水を吸収しうるように、適当な溝幅で設定されるとよい。かかる観点で、第１補助溝３２ｃと第２補助溝３２ｄの溝幅は、例えば、０．１ｍｍ以上１．０ｍｍ以下であるとよい。第１補助溝３２ｃと第２補助溝３２ｄの溝幅は、狭すぎると十分に水が吸収されない可能性がある。かかる観点で、第１補助溝３２ｃと第２補助溝３２ｄの溝幅は、例えば、０．１ｍｍ以上、より好ましくは、０．２５ｍｍ以上としてもよい。また、第１補助溝３２ｃと第２補助溝３２ｄの溝幅が広すぎると、陸部３２ｂが狭くなる。かかる観点で、第１補助溝３２ｃと第２補助溝３２ｄの溝幅は、例えば、１．０ｍｍ以下、より好ましくは、０．７５ｍｍ以下としてもよい。これに対して、放射主溝３２ａは、例えば、０．５ｍｍ以上２．０ｍｍ以下であるとよい。なお、補助溝３２ｃ，３２ｄは、放射主溝３２ａよりも溝幅が狭いとよい。1つの陸部３２ｂに複数の補助溝３２ｃ，３２ｄが設けられている場合には、補助溝の溝幅は、それぞれ同じでもよいし、異なっていてもよい。
【００２０】
凸部３２ｅは、杖用石突き１３の底面部３２の中央領域に設けられた陸部３２ｂよりも突出した凸状の部位である。放射主溝３２ａは、かかる凸部３２ｅの外縁を内端として放射状に延びているとよい。この場合、底面部３２の中央部分が陸部３２ｂよりも高いので、地面に対して垂直に杖１０が突かれる際に、底面部３２の中央領域の凸部３２ｅから接地していく。接地部が、径方向に広がる。このため、第１補助溝３２ｃや第２補助溝３２ｄおよび放射主溝３２ａに入り込んだ水が、底面部３２の外側に押し出されやすくなる。なお、かかる凸部３２ｅは、任意に設けられうる。凸部３２ｅはなくてもよく、陸部３２ｂと同じ高さであってもよい。また、底面部３２の中央領域の凸部３２ｅが設けられている部分に、反対に凹みが設けられていてもよい。凹みは、放射主溝３２ａに通じていてもよい。
【００２１】
図３に示された形態では、底面部３２は、周溝３２ｆと突起３２ｇとを備えている。周溝３２ｆは、扇型状の陸部３２ｂの外径側に配置された周方向に連続している。突起３２ｇは、周溝３２ｆの外径側に底面部３２の周縁部に沿って周方向に間欠的に配置されている。この場合、底面部３２の周縁部に、陸部３２ｂとは独立した突起３２ｇが設けられている。底面部３２が接地する際に、突起３２ｇは、地面の凹凸に合わせて適当な向きに傾倒しうる。このため、底面部３２が接地する際にスリップしにくい。また、放射主溝３２ａは、周溝３２ｆを通じて繋がっている。このため、放射主溝３２ａに入り込んだ水が周溝３２ｆを通じて分散する。このため、底面部３２と地面との間に水が介在しにくく、杖用石突き１３のグリップ力が高いレベルで維持される。図３に示された形態では、隣り合う放射主溝３２ａの間に、突起３２ｇが２つ設けられている。２つの突起３２ｇの間には、周溝３２ｆから径方向に通じる分割溝３２ｈが設けられている。この実施形態では、放射主溝３２ａと、周溝３２ｆと、分割溝３２ｈは、それぞれ底面部３２に対して概ね同じ深さおよび同じ溝幅で形成されている。
【００２２】
杖用石突き１３の構造は、特段の言及がない限りにおいて、上述した形態に限定されない。例えば、図４から図６は、それぞれ杖用石突き１３の底面部３２の変形例を示す底面図である。図４に示された形態では、底面部３２の陸部３２ｂに、複数の第１補助溝３２ｃが径方向に間隔を空けて設けられている。陸部３２ｂには、第２補助溝３２ｄは設けられていない。このように、底面部３２の陸部３２ｂには、第２補助溝３２ｄがなくてもよい。図５に示された形態では、底面部３２の陸部３２ｂに、２本の第１補助溝３２ｃと、１本の第２補助溝３２ｄが径方向に間隔を空けて設けられている。径方向内側から第１補助溝３２ｃ、第２補助溝３２ｄ、第１補助溝３２ｃの順で、第１補助溝３２ｃと第２補助溝３２ｄが交互に配置されている。このように、陸部３２ｂに設ける第１補助溝３２ｃや第２補助溝３２ｄの数は、適宜に変更されうる。
【００２３】
図６に示されているように、第１補助溝３２ｃと第２補助溝３２ｄは、ジグザグ形状でなくてもよい。第１補助溝３２ｃと第２補助溝３２ｄは、特に言及されない限りにおいて、ここで例示される形状に限定されない。例えば、図６に示されているように、波形状でもよい。また、図示は省略するが、円弧状や、直線状、ランダムな曲線状であってもよい。また、陸部３２ｂに設けられる第１補助溝３２ｃと第２補助溝３２ｄは、陸部３２ｂ内で交わらないものを例示した。補助溝３２ｃ，３２ｄが、陸部３２ｂに径方向に間隔を空けて複数設けられる場合は、補助溝３２ｃ，３２ｄの間隔は一定でなくてもよい。また、ここでは、底面部３２は、周溝３２ｆ、突起３２ｇ、分割溝３２ｈを備えている。これらは、適宜に省略されうる。
【００２４】
杖用石突き１３の底面部３２は、中央領域が周縁部よりも盛り上がっていてもよい。図７は、杖用石突き１３の変形例を示す側面図である。図７に示されているように、杖用石突き１３の底面部３２は、中央領域に向けて周縁部から緩やかに盛り上がっていてもよい。この場合、杖用石突き１３が地面にどのような傾きで突かれても、底面部３２が適度に変形しやすい。このため、第１補助溝３２ｃや第２補助溝３２ｄや放射主溝３２ａに入り込んだ水が適切に排出されやすい。また、かかる形態に限定されず、杖用石突き１３の底面部３２は、中央部が周縁部に比べて緩やかに凹んでいてもよい。
【００２５】
このように、ここで開示された杖用石突き１３の底面部３２には、径方向に延びた放射状の複数の放射主溝３２ａと、放射主溝３２ａで区画される複数の扇型状の陸部３２ｂとを備えている。陸部３２ｂには、当該陸部内を周方向に延び、一方の端部が放射主溝３２ａに連通し、かつ、他方の端部が当該陸部内で途切れた補助溝を備えている。このため、地面が濡れていても底面部３２のグリップ力が高く維持される。
【００２６】
ここで開示される杖用石突き１３は、陸部３２ｂのうち少なくとも１つの陸部３２ｂが、本願で提案される構成を充足しているとよい。なお、好ましくは、底面部３２に形成された複数の扇型状の陸部３２ｂが、それぞれ本願で開示される構成を充足しているとよい。但し、１つの杖用石突き１３の底面部３２の複数の扇型状の陸部３２ｂは、全て同じ形態である必要はない。１つの杖用石突き１３の底面部３２の複数の扇型状の陸部３２ｂは、異なる形態のものが含まれていてもよい。
【００２７】
ここで開示される杖は、上述した杖用石突き１３を備えているとよい。
【００２８】
以上、ここで開示される杖用石突きおよび杖について、種々説明したが、ここで開示される杖用石突きおよび杖は、特に言及されない限りにおいて、上述した実施形態や変形例に限定されない。また、種々言及した実施形態や変形例の各構成は、互いに阻害しない関係であれば、適宜に組み合わせることができる。
【符号の説明】
【００２９】
１０  杖
１１  把手
１２  軸部
１２ａ  軸部１２の先端
１３  杖用石突き
３１  基端部
３２  底面部
３２ａ  放射主溝
３２ｂ  陸部
３２ｃ  第１補助溝
３２ｃ１  第１補助溝３２ｃの一方の端部
３２ｃ２  第１補助溝３２ｃの他方の端部
３２ｄ  第２補助溝
３２ｄ１  第２補助溝３２ｄの一方の端部
３２ｄ２  第２補助溝３２ｄの他方の端部
３２ｅ  凸部
３２ｆ  周溝
３２ｇ  突起
３２ｈ  分割溝
３３  装着孔
Ａ  第１補助溝３２ｃと第２補助溝３２ｄ対向した部分
ａ１  放射主溝３２ａの溝幅
ｃ１  第１補助溝３２ｃの溝幅
ｄ１  第２補助溝３２ｄの溝幅
【図１】
0003229939.tif 000003
【図２】
0003229939.tif 000004
【図３】
0003229939.tif 000005
【図４】
0003229939.tif 000006
【図５】
0003229939.tif 000007
【図６】
0003229939.tif 000008
【図７】
0003229939.tif 000009